(57)【要約】【課題】防蟻材の強度を損なうことなく、柱材への嵌装を容易にし、白蟻の侵入・食害を確実に防止する防蟻材を柱材に装着することができるようにした建築物の防蟻構造を提供する。【解決手段】建築物を白蟻の侵入及び食害から防ぐ建築物の防蟻構造において、建築物の基礎１上に敷設される土台２に立設される柱材４の所定高さ以下の部分における表面部分に、スペーサ２０を介して白蟻に対する耐食性を有する防蟻材１０を嵌装する。防蟻材は、スペーサを介在する当接片１２に多数の通気孔１６を設け、スペーサは、多数の通気孔２３を設けると共に、防蟻材側の表面に、白蟻の通過を阻止する高さの凸条２２を設ける。防蟻材の嵌装状態においては、防蟻材の通気孔とスペーサの通気孔は互いに相通していない関係にある。これにより、防蟻材の強度を損なうことなく、柱材への嵌装を容易にし、かつ白蟻の侵入・食害を確実に防止する防蟻材を柱材に装着することができる。【選択図】        図２
2010059662.tif 000002
【特許請求の範囲】
【請求項１】
建築物を白蟻の侵入及び食害から防ぐ建築物の防蟻構造であって、
上記建築物の基礎上に敷設される土台に立設される柱材の所定高さ以下の部分における表面部分に、スペーサを介して白蟻に対する耐食性を有する防蟻材を嵌装してなり、
上記防蟻材は、上記スペーサを介在する当接片に複数の通気孔を設け、
上記スペーサは、複数の通気孔を設けると共に、上記防蟻材側の表面に、白蟻の通過を阻止する高さの突出部を設け、
上記防蟻材の嵌装状態において、該防蟻材の通気孔と上記スペーサの通気孔は互いに相通していない、
ことを特徴とする建築物の防蟻構造。
【請求項２】
請求項１記載の建築物の防蟻構造において、
上記スペーサはアルミニウム製の押出形材からなり、上記突出部は当該押出形材と一体に成形される凸条である、ことを特徴とする建築物の防蟻構造。
【発明の詳細な説明】
【技術分野】
【０００１】
この発明は、建築物を白蟻の侵入及び食害から防ぐ建築物の防蟻構造に関するものである。
【背景技術】
【０００２】
一般の主な木造住宅は、コンクリートからなる基礎上に土台となる木材を敷設し、土台の上に柱を立設するという工法が採られている。そのため、住宅を白蟻の侵入・食害から防ぐための防蟻処理が必要となる。一般的な防蟻処理としては、建築物の基礎等の表面に防蟻剤を施しているが、その効果を維持できる期間が限られ、また、人間にも毒性があるため、近年では防蟻剤をしない方法が考えられている。
【０００３】
従来、防蟻剤を使用しない防蟻方法として、発明者等は鋭意研究した結果、建築物の基礎上に敷設される土台に立設される柱材の所定高さ以下の部分において、少なくとも外壁と接触しない表面部分に、白蟻に対する耐食性を有する防蟻材を嵌装する構造を提案した（例えば、特許文献１参照）。この特許文献１に記載の構造においては、木材からなる柱材腐食を抑制するために防蟻材に通気孔を設けて柱材に通気性を持たせている。
【特許文献１】特開２００８−３１６７１号公報（特許請求の範囲、図５，図６，図１２）
【発明の開示】
【発明が解決しようとする課題】
【０００４】
しかしながら、特許文献１に記載の構造においては、通気孔の大きさは白蟻の通過を阻止する大きさ、具体的には１ｍｍ以下に設定しなければならない。したがって、柱材に通気性を持たせる点を重視した場合には、通気孔の数を多くする必要がある。しかし、通気孔の数をむやみに多くすると、防蟻材の強度に影響を及ぼすと共に、柱材への嵌装に支障をきたす懸念がある。また、通気孔の数を多くすると加工が面倒となりコストが嵩むという問題もある。
【０００５】
この発明は、上記事情に鑑みてなされたのもので、防蟻材の強度を損なうことなく、柱材への嵌装を容易にし、かつ白蟻の侵入・食害を確実に防止する防蟻材を柱材に装着することができるようにした建築物の防蟻構造を提供することを課題とする。
【課題を解決するための手段】
【０００６】
上記課題を解決するため、請求項１記載の発明は、建築物を白蟻の侵入及び食害から防ぐ建築物の防蟻構造であって、  上記建築物の基礎上に敷設される土台に立設される柱材の所定高さ以下の部分における表面部分に、スペーサを介して白蟻に対する耐食性を有する防蟻材を嵌装してなり、  上記防蟻材は、上記スペーサを介在する当接片に複数の通気孔を設け、  上記スペーサは、複数の通気孔を設けると共に、上記防蟻材側の表面に、白蟻の通過を阻止する高さの突出部を設け、  上記防蟻材の嵌装状態において、該防蟻材の通気孔と上記スペーサの通気孔は互いに相通していない、ことを特徴とする。
【０００７】
このように構成することにより、通気性を得るための通気孔を防蟻材とスペーサに設けることができ、また、防蟻材に設けられた通気孔とスペーサに設けられた通気孔とを突出部によって確保される空間を介して連通することができる。また、突出部の高さが白蟻の通過を阻止する高さとすることにより、通気孔の開口を大きくすることができる。
【０００８】
この発明において、上記スペーサをアルミニウム製の押出形材にて形成すると共に、上記突出部を当該押出形材と一体に成形される凸条にて形成する方が好ましい（請求項２）。ここで、アルミニウムとは、アルミニウム合金を含む意味である。
【０００９】
このように構成することにより、突出部を有するスペーサの成形効率を高めることができると共に、スペーサの寸法精度を高めることができる。
【発明の効果】
【００１０】
この発明によれば、上記のように構成されているので、以下のような優れた効果が得られる。
【００１１】
（１）請求項１記載の発明によれば、通気性を得るための通気孔を防蟻材とスペーサに設けることができるので、防蟻材自体に通気孔を設ける場合に比べて防蟻材の強度を高めることができると共に、柱材への嵌装を容易にすることができる。また、防蟻材に設けられた通気孔とスペーサに設けられた通気孔とを突出部によって確保される空間を介して連通することができ、突出部の高さが白蟻の通過を阻止する高さとすることにより、通気孔の開口を大きくすることができるので、白蟻の侵入・食害を確実に防止することができると共に、通気性の向上が図れ、柱材の結露及び腐食を防止することができる。
【００１２】
（２）請求項２記載の発明によれば、突出部を有するスペーサの成形効率を高めることができると共に、スペーサの寸法精度を高めることができるので、上記（１）に加えて、更に柱材への防蟻材の嵌装を容易にすると共に、確実にすることができる。
【発明を実施するための最良の形態】
【００１３】
以下に、この発明の最良の実施形態を添付図面に基づいて詳細に説明する。
【００１４】
＜第１実施形態＞
図１は、この発明に係る防蟻構造の第１実施形態の組立状態を示す斜視図、図２は、第１実施形態の要部の一部を断面で示す斜視図、図３は、図２のＩ−Ｉ線に沿う拡大断面図（ａ）、（ａ）のII部の拡大断面図（ｂ）、図４は、柱材と土台の固定部を示す要部断面図、図５は、第１実施形態の要部の分解斜視図である。
【００１５】
この発明に係る建築物は、図１に示すように、コンクリート製の基礎１の上面に土台２を敷設し、この土台２の上面に後述するほぞ３を介して木製の柱材４を立設し、柱材４の屋外側に外壁材５を取り付けてなる。
【００１６】
また、建築物は、グランドレベルより好ましくは土台２の上面を基準にして１ｍの高さまでの領域に防蟻構造が施されている。この場合、柱材４のグランドレベルを基準にして１ｍの高さまでの柱材４の表面部分に２つの防蟻材１０が、夫々スペーサ２０を介して嵌装され、固定部材であるタッピングねじ１５ａとナット１５ｂによって柱材４に嵌装・固定されている。
【００１７】
この場合、防蟻材１０は、例えばアルミニウム合金製の板材を折曲してなる２つの断面略Ｌ字形状に形成されており、各防蟻材１０が柱材の隣接面に当接すべく対角線方向からスペーサ２０を介して嵌装されている。
【００１８】
上記防蟻材１０は、図３，図５及び図６に示すように、建築物の屋内外側に位置する一方の当接片１１（以下に第１の当接片１１という）における幅寸法は柱材４の当接対象となる面における幅寸法よりも大きく、かつ土台２の長手方向側に位置する他方の当接片１２（以下に第２の当接片１２という）における幅寸法は柱材４の当接対象となる面における幅寸法よりも小さく形成されている。また、第２の当接片１２の長手方向に沿う側端には、外方に向かって傾斜状に延在する折曲片１４が設けられており、この折曲片１４が第１の当接片１１の長手方向に沿う側端部１３の内面に当接された状態で、この当接部を固定部材例えばタッピングねじ１５ａとナット１５ｂによって固定されている（図３参照）。また、第２の当接片１２には、第２の当接片１２の幅方向に複数列例えば３列で、かつ防蟻材１０の長手方向すなわち鉛直方向に適宜間隔をおいて多数の通気孔１６が設けられている。
【００１９】
上記スペーサ２０は、図３，図５及び図７に示すように、防蟻材１０の第２の当接片１２と同じ幅寸法を有する板状基部２１の一側面すなわち第２の当接片１２の内面に当接する面に、白蟻の通過を阻止する高さ具体的には１ｍｍ以下の突出部である凸条２２が例えば５列突設され、また、板状基部２１における凸条２２間には、スペーサ２０の長手方向すなわち鉛直方向に適宜間隔をおいて多数の通気孔２３が設けられている。このように形成されるスペーサ２０は、例えばアルミニウム合金製の押出形材にて形成されており、板状基部２１と凸条２２が一体に成形されることで、スペーサ２０の寸法精度が高められている。
【００２０】
上記のように構成されるスペーサ２０は、上記防蟻材１０を柱材４に嵌装させる前に、防蟻材１０の第２の当接片１２の内面に当接された後、防蟻材１０と共に柱材４の下部表面部分に嵌装される。このように、防蟻材１０の第２の当接片１２の内面にスペーサ２０を当接させた状態で、防蟻材１０を柱材４に嵌装することにより、防蟻材１０に強度を持たせると共に、防蟻材１０の嵌装を容易にすることができる。
【００２１】
上記のようにして防蟻材１０を嵌装した状態において、防蟻材１０の通気孔１６とスペーサ２０の通気孔２３は互いに相通していない状態となっている。これにより、凸条２２の高さが白蟻の通過を阻止する高さに設定されているため、両通気孔１６，２３の口径を、白蟻の通過の阻止を考慮せずに例えば１０ｍｍと大きくすることができる。したがって、白蟻の侵入・食害を防止することができると共に、開口率を高めて通気性の向上を図ることができる。
【００２２】
一方、土台２は、例えばアルミニウム合金製の押出形材にて形成されており、中空矩形状本体２ａと、この本体２ａの内方中空部２ｂを区画する互いに平行な垂直方向に位置する２つの仕切り壁２ｃとで構成されている。このように構成されるアルミニウム合金製の土台２の上面に開設された矩形状のほぞ穴２ｄ内に、柱材４の下端面に突設されたほぞ３が挿入され、土台２の側壁２ｅに水平方向に並列して穿設された２つの貫通孔２ｆを夫々貫通する固定ピン６をほぞ３の下部側に設けた固定孔３ａ内に嵌合することによって、ほぞ３が土台２に固定された状態で柱材４が土台２上に立設される（図２及び図４参照）。
【００２３】
上記ほぞ３は、例えばアルミニウム合金製押出形材にて形成された断面が中実矩形状の押出形材を所定の寸法に切断したものにて形成されている。また、ほぞ３の上部側にも水平方向に並列して２つの固定孔３ａが設けられている。ほぞ３の上部側を柱材４の下端面に設けられたほぞ穴４ａ内に挿入した状態で、柱材４の対向する側部に水平方向に並列して穿設された２つの貫通孔４ｂを夫々貫通する固定ピン６を固定孔３ａに嵌合することによって、ほぞ３が柱材４の下面に突設されるようになっている。なお、ほぞ３は必ずしも断面中実状である必要はなく、断面中空矩形状に形成してもよい。また、ほぞ３は必ずしもアルミニウム製部材である必要はなく、例えば柱材４と一体に形成したものであってもよい。
【００２４】
上記のように構成される土台２，柱材４，ほぞ３及び防蟻材１０を組み立てるには、まず、基礎１の上面に土台用スペーサ８を介在させて土台２を敷設すると共に、アンカーボルト７によって固定する。
【００２５】
一方、柱材４の下端面に設けられたほぞ穴４ａ内にほぞ３の上端部を挿入した状態で固定ピン６を柱材４の貫通孔４ｂ及びほぞ３の固定孔３ａ内に嵌合することによって、柱材４の下面にほぞ３を突設する。
【００２６】
また、予め防蟻材１０の第２の当接片１２の内面にスペーサ２０を当接しておく。そして、柱材４の下部側に、柱材４の対角線方向からスペーサ２０を介して防蟻材１０を嵌装して２つの防蟻材１０の第１の当接片１１と第２の当接片１２に当接するスペーサ２０を夫々柱材４の隣接面に当接し、かつ第２の当接片１２の折曲片１４を第１の当接片１１の長手方向に沿う側端部１３の内面に当接する。この状態で、第１の当接片１１の側端部１３の外方からタッピングねじ１５ａを当接部にねじ込み、その先端部にナット１５ｂを螺合して当接部を固定する（図３（ａ）参照）。
【００２７】
次に、柱材４の下面に突設されたほぞ３の突出部を土台２の上面に開設されたほぞ穴２ｄ内に挿入し、土台２の側壁２ｅに穿設された２つの貫通孔２ｆを夫々貫通する固定ピン６をほぞ３に設けた固定孔３ａ内に嵌合することによって、柱材４を土台２上に立設する。
【００２８】
なお、柱材４を土台２に立設させた後に、柱材４の下部側に、上記と同様に、対角線方向からスペーサ２０を介して防蟻材１０を嵌装し固定してもよい。
【００２９】
＜第２実施形態＞
図８は、この発明に係る防蟻構造の第２実施形態の要部の一部を断面で示す斜視図、図９は、図８のIII−III線に沿う拡大断面図（ａ）及び第２実施形態の防蟻材の固定部を示す拡大断面図（ｂ）、図１０は、第２実施形態の要部の分解斜視図である。
【００３０】
第２実施形態は、チャンネル状に形成される防蟻材１０Ａを用いて、第１実施形態と同様のスペーサ２０を介して防蟻材１０Ａを柱材４に嵌装した場合である。
【００３１】
この場合、防蟻材１０Ａは、例えばアルミニウム合金製の押出形材にて形成されており、図９及び図１０に示すように、基片１７の両端に対向する当接片１８を有するチャンネル状に形成されており、土台２の長手方向側の２つの当接片１８に、該当接片１８の幅方向に複数列例えば３列で、かつ防蟻材１０の長手方向すなわち鉛直方向に適宜間隔をおいて多数の通気孔１９が設けられている。
【００３２】
上記のように構成される防蟻材１０Ａを柱材４に嵌装させる前に、防蟻材１０の当接片１８の内面に上記スペーサ２０を当接した後、柱材４の屋内側から防蟻材１０Ａを柱材４の下部表面部分に嵌装する。このように、防蟻材１０Ａの両当接片１８の内面にスペーサ２０を当接させた状態で、防蟻材１０Ａを柱材４に嵌装することにより、防蟻材１０Ａの嵌装を容易にすることができる。
【００３３】
上記のようにして防蟻材１０Ａを嵌装した状態においては、第１実施形態と同様に、防蟻材１０Ａの通気孔１９とスペーサ２０の通気孔２３は互いに相通していない状態となっている。これにより、スペーサ２０の凸条２２の高さが白蟻の通過を阻止する高さに設定されているため、防蟻材の通気孔１９とスペーサ２０の通気孔２３の口径を、白蟻の通過の阻止を考慮せずに大きくすることができる。したがって、白蟻の侵入・食害を防止することができると共に、開口率を高めて通気性の向上を図ることができる。
【００３４】
この場合、基片１７の両端に対向する当接片１８の内面間の寸法を柱材４の幅寸法より若干広く形成して防蟻材１０Ａを柱材４に嵌装してもよいが、図１０に示すように、対向する当接片１８の外面間の寸法を柱材４の幅寸法と略同一にし、柱材４における防蟻材１０Ａの嵌装領域に切欠き段部４ｃを設けて、柱材４の外面と防蟻材１０Ａの当接片１８の外面とを同一面上に配置する方が好ましい。
【００３５】
なお、第２実施形態において、その他の部分は第１実施形態と同じであるので、同一部分には同一符号を付して説明は省略する。
【００３６】
上記のように構成される第２実施形態の防蟻材１０Ａを柱材４に嵌装するには、まず、防蟻材１０の両当接片１８の内面にスペーサ２０を当接しておく。そして、予め固定ピン６によってほぞ３が固定された柱材４の下部側に、柱材４の屋内側からスペーサ２０を介して防蟻材１０Ａを嵌装して、スペーサ２０を夫々柱材４における土台２の長手方向側面に当接すると共に、防蟻材１０Ａの基片１７を柱材４の屋内側面に当接する。この状態で、両当接片１８の外側から固定部材であるタッピングねじ１５ｃをねじ込み、当接片１８及びスペーサ２０を貫通した状態で固定する（図９（ｂ）参照）。
【００３７】
上記のようにして防蟻材１０Ａを嵌装した柱材４を土台２の上面に立設するには、柱材４の下面に突設されたほぞ３の突出部を土台２の上面に開設されたほぞ穴２ｄ内に挿入し、土台２の側壁２ｅに穿設された２つの貫通孔２ｆを夫々貫通する固定ピン６をほぞ３に設けた固定孔３ａ内に嵌合することによって、柱材４を土台２上に立設する。
【００３８】
なお、柱材４を土台２に立設させた後に、柱材４の下部側に、上記と同様に、屋内側からスペーサ２０を介して防蟻材１０Ａを嵌装し固定してもよい。
【００３９】
＜その他の実施形態＞
なお、上記実施形態では、土台２が、中空矩形状本体２ａと、この本体２ａの内方中空部２ｂを区画する互いに平行な垂直方向に位置する２つの仕切り壁２ｃとからなるアルミニウム合金製の押出形材にて形成される場合について説明したが、土台は必ずしもこのような形状である必要はなく、例えば中空矩形部の上下片の左右端部に夫々外方に延在するフランジ部を形成したアルミニウム合金製の押出形材にて形成してもよい。
【図面の簡単な説明】
【００４０】
【図１】この発明に係る防蟻構造の第１実施形態の組立状態を示す斜視図である。
【図２】第１実施形態の要部の一部を断面で示す斜視図である。
【図３】図２のＩ−Ｉ線に沿う拡大断面図（ａ）、（ａ）のII部の拡大断面図（ｂ）である。
【図４】この発明における柱材と土台の固定状態を示す要部断面図である。
【図５】第１実施形態の要部の分解斜視図である。
【図６】第１実施形態の防蟻材を示す要部の斜視図である。
【図７】この発明におけるスペーサを示す要部の斜視図である。
【図８】この発明に係る防蟻構造の第２実施形態の要部の一部を断面で示す斜視図である。
【図９】図８のIII−III線に沿う拡大断面図（ａ）及び第２実施形態の防蟻材の固定部を示す拡大断面図（ｂ）である。
【図１０】第２実施形態の要部の分解斜視図である。
【符号の説明】
【００４１】
１  基礎
２  土台
３  ほぞ
４  柱材
１０，１０Ａ  防蟻材
１１  第１の当接片（一方の当接片）
１２  第２の当接片（他方の当接片）
１３  側端部
１４  折曲片
１５ａ，１５ｃ  タッピングねじ（固定部材）
１５ｂ  ナット（固定部材）
１６  通気孔
１７  基片
１８  当接片
１９  通気孔
２０  スペーサ
２２  凸条（突出部）
２３  通気孔
【図１】
2010059662.tif 000003
【図２】
2010059662.tif 000004
【図３】
2010059662.tif 000005
【図４】
2010059662.tif 000006
【図５】
2010059662.tif 000007
【図６】
2010059662.tif 000008
【図７】
2010059662.tif 000009
【図８】
2010059662.tif 000010
【図９】
2010059662.tif 000011
【図１０】
2010059662.tif 000012